【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
燃料タンク（２）の通気通路を開閉する弁（１１）と、
燃料に浮いて閉弁方向に移動して前記弁を閉弁させ、前記閉弁方向とは逆の開弁方向に移動して前記弁を開弁させるフロート（５１）と、
所定の重さをもつ補助部材であって、前記開弁方向へ前記フロートに重さを作用させるように前記フロートに当接し、前記閉弁方向へ前記フロートに重さを作用させないように前記フロートから離れる補助部材（７１）とを備え、
前記補助部材は、前記閉弁方向へ前記弁に重さを作用させるように前記フロートから離れ、前記弁に当接するように前記弁と前記フロートとの間に設けられている部材であり、
前記弁は、前記通気通路を区画し、前記通気通路に固定の主弁座（２８）を形成するハウジング（２１）と、前記主弁座に着座する可動の主弁体（３１）とを有し、
前記補助部材は、前記主弁体の変形を規制するように前記ハウジングに当接可能に形成されたストッパ面（７５）を有する燃料遮断弁。
【請求項２】
燃料タンク（２）の通気通路を開閉する弁（１１）と、
燃料に浮いて閉弁方向に移動して前記弁を閉弁させ、前記閉弁方向とは逆の開弁方向に移動して前記弁を開弁させるフロート（５１）と、
所定の重さをもつ補助部材であって、前記開弁方向へ前記フロートに重さを作用させるように前記フロートに当接し、前記閉弁方向へ前記フロートに重さを作用させないように前記フロートから離れる補助部材（７１）とを備え、
前記補助部材は、前記開弁方向へ前記フロートに当接する当接部（７２）を有し、
前記フロートは、前記補助部材を受ける肩部（５６）を有する燃料遮断弁。
【請求項３】
燃料タンク（２）の通気通路を開閉する弁（１１）と、
燃料に浮いて閉弁方向に移動して前記弁を閉弁させ、前記閉弁方向とは逆の開弁方向に移動して前記弁を開弁させるフロート（５１）と、
所定の重さをもつ補助部材であって、前記開弁方向へ前記フロートに重さを作用させるように前記フロートに当接し、前記閉弁方向へ前記フロートに重さを作用させないように前記フロートから離れる補助部材（７１）とを備え、
前記弁は、前記通気通路を開閉する主弁（１２）と、前記主弁の前後を連通する前記通気通路より小さいパイロット通路（３４）を開閉するパイロット弁（１３）とを有し、
前記主弁は、前記通気通路に設けられた主弁座（２８）と、前記主弁座と協働して前記通気通路を開閉する主弁体（３１）とを有し、
前記パイロット弁は、前記パイロット通路に設けられたパイロット弁座（３５）と、前記パイロット弁座と協働して前記パイロット通路を開閉するパイロット弁体（５２）とを備える燃料遮断弁。
【請求項４】
前記補助部材は、前記開弁方向へ前記フロートに当接する当接部（７２）を有し、
前記フロートは、前記補助部材を受ける肩部（５６）を有する請求項３に記載の燃料遮断弁。
【請求項５】
前記フロートは、大径部と、前記大径部より外側が小さい小径部とを有し、前記大径部と前記小径部との間に前記肩部を有し、
前記補助部材は、前記フロートの径方向外側に配置される筒状の部材である請求項４に記載の燃料遮断弁。
【請求項６】
前記フロートは、大径部と、前記大径部より外側が小さい小径部とを有し、前記大径部と前記小径部との間に前記肩部を有し、
前記補助部材は、前記フロートの径方向外側に配置される筒状の部材である請求項２に記載の燃料遮断弁。
【請求項７】
燃料タンク（２）の通気通路を開閉する弁（１１）と、
燃料に浮いて閉弁方向に移動して前記弁を閉弁させ、前記閉弁方向とは逆の開弁方向に移動して前記弁を開弁させるフロート（５１）と、
所定の重さをもつ補助部材であって、前記フロートの径方向外側に配置され、前記開弁方向へ前記フロートに重さを作用させるように前記フロートに当接し、前記閉弁方向へ前記フロートに重さを作用させないように前記フロートから離れる補助部材（７１）とを備える燃料遮断弁。
【請求項８】
前記補助部材は、前記開弁方向へ前記フロートに当接する当接部（７２）を有し、
前記フロートは、前記補助部材を受ける肩部（５６）を有する請求項７に記載の燃料遮断弁。
【請求項９】
前記フロートは、大径部と、前記大径部より外側が小さい小径部とを有し、前記大径部と前記小径部との間に前記肩部を有し、
前記補助部材は、筒状の部材である請求項８に記載の燃料遮断弁。
【請求項１０】
前記弁は、前記通気通路を開閉する主弁（１２）と、前記主弁の前後を連通する前記通気通路より小さいパイロット通路（３４）を開閉するパイロット弁（１３）とを有し、
前記主弁は、前記通気通路に設けられた主弁座（２８）と、前記主弁座と協働して前記通気通路を開閉する主弁体（３１）とを有し、
前記パイロット弁は、前記パイロット通路に設けられたパイロット弁座（３５）と、前記パイロット弁座と協働して前記パイロット通路を開閉するパイロット弁体（５２）とを備える請求項７から請求項９のいずれかに記載の燃料遮断弁。
【請求項１１】
前記パイロット通路は、前記主弁体に設けられており、
前記パイロット弁体は、前記主弁体と前記フロートとの間に設けられ、前記フロートの移動を前記主弁体に伝達する部材である請求項３、請求項４、請求項５、および請求項１０のいずれかに記載の燃料遮断弁。
【請求項１２】
前記主弁体と前記フロートとの間には、前記パイロット弁の開閉を可能とするように、前記主弁体と前記フロートとを連結する可動連結部（９１）が設けられている請求項３、請求項４、請求項５、請求項１０、および請求項１１のいずれかに記載の燃料遮断弁。
【請求項１３】
前記パイロット弁座と前記パイロット弁体は、硬質の樹脂材料製である請求項３、請求項４、請求項５、請求項１０、請求項１１、および請求項１２のいずれかに記載の燃料遮断弁。
【請求項１４】
前記主弁座は硬質の樹脂材料製であり、前記主弁体は前記主弁座より軟質の材料製である請求項３、請求項４、請求項５、請求項１０、請求項１１、請求項１２、および請求項１３のいずれかに記載の燃料遮断弁。
【請求項１５】
前記補助部材は、前記閉弁方向へ前記弁に重さを作用させるように前記フロートから離れ、前記弁に当接するように前記弁と前記フロートとの間に設けられている部材である請求項２から請求項１４のいずれかに記載の燃料遮断弁。
【請求項１６】
前記弁は、前記通気通路を区画し、前記通気通路に固定の主弁座（２８）を形成するハウジング（２１）と、前記主弁座に着座する可動の主弁体（３１）とを有し、
前記補助部材は、前記主弁体の変形を規制するように前記ハウジングに当接可能に形成されたストッパ面（７５）を有する請求項１５に記載の燃料遮断弁。
【手続補正２】
【補正対象書類名】明細書
【補正対象項目名】０００８
【補正方法】変更
【補正の内容】
【０００８】
ここに開示された第１の燃料遮断弁は、燃料タンク（２）の通気通路を開閉する弁（１１）と、燃料に浮いて閉弁方向に移動して弁を閉弁させ、閉弁方向とは逆の開弁方向に移動して弁を開弁させるフロート（５１）と、所定の重さをもつ補助部材であって、開弁方向へフロートに重さを作用させるようにフロートに当接し、閉弁方向へフロートに重さを作用させないようにフロートから離れる補助部材（７１）とを備え、補助部材は、閉弁方向へ弁に重さを作用させるようにフロートから離れ、弁に当接するように弁とフロートとの間に設けられている部材であり、弁は、通気通路を区画し、通気通路に固定の主弁座（２８）を形成するハウジング（２１）と、主弁座に着座する可動の主弁体（３１）とを有し、補助部材は、主弁体の変形を規制するようにハウジングに当接可能に形成されたストッパ面（７５）を有する。
ここに開示された第２の燃料遮断弁は、燃料タンク（２）の通気通路を開閉する弁（１１）と、燃料に浮いて閉弁方向に移動して弁を閉弁させ、閉弁方向とは逆の開弁方向に移動して弁を開弁させるフロート（５１）と、所定の重さをもつ補助部材であって、開弁方向へフロートに重さを作用させるようにフロートに当接し、閉弁方向へフロートに重さを作用させないようにフロートから離れる補助部材（７１）とを備え、補助部材は、開弁方向へフロートに当接する当接部（７２）を有し、フロートは、補助部材を受ける肩部（５６）を有する。
ここに開示された第３の燃料遮断弁は、燃料タンク（２）の通気通路を開閉する弁（１１）と、燃料に浮いて閉弁方向に移動して弁を閉弁させ、閉弁方向とは逆の開弁方向に移動して弁を開弁させるフロート（５１）と、所定の重さをもつ補助部材であって、開弁方向へフロートに重さを作用させるようにフロートに当接し、閉弁方向へフロートに重さを作用させないようにフロートから離れる補助部材（７１）とを備え、弁は、通気通路を開閉する主弁（１２）と、主弁の前後を連通する通気通路より小さいパイロット通路（３４）を開閉するパイロット弁（１３）とを有し、主弁は、通気通路に設けられた主弁座（２８）と、主弁座と協働して通気通路を開閉する主弁体（３１）とを有し、パイロット弁は、パイロット通路に設けられたパイロット弁座（３５）と、パイロット弁座と協働してパイロット通路を開閉するパイロット弁体（５２）とを備える。
ここに開示された第４の燃料遮断弁は、燃料タンク（２）の通気通路を開閉する弁（１１）と、燃料に浮いて閉弁方向に移動して弁を閉弁させ、閉弁方向とは逆の開弁方向に移動して弁を開弁させるフロート（５１）と、所定の重さをもつ補助部材であって、フロートの径方向外側に配置され、開弁方向へフロートに重さを作用させるようにフロートに当接し、閉弁方向へフロートに重さを作用させないようにフロートから離れる補助部材（７１）とを備える。